(57)【要約】【課題】隣接する遊技機で遊技を行う遊技者間に、遊技者の視線を遮る板部を設けることによって、一方の遊技者が他方の遊技者の視線によって感じる不快感等を軽減し、集中して遊技を行うことを可能とする遮蔽ユニット、遊技機を提供すること。【解決手段】この遮蔽ユニット１６は、隣接して設置された遊技機２で遊技を行う遊技者間に配置されて、一方の遊技機で遊技を行う遊技者から他方の遊技機を視認可能とする部分１７ｄと視認不可とする部分１７ｅとが形成される板部１７を有している。【選択図】図３
2008307332.tif 000002
【特許請求の範囲】
【請求項１】
隣接して設置された遊技機で遊技を行う遊技者間に配置されて、少なくともいずれか一方の遊技機で遊技を行う遊技者から他方の遊技機を視認可能とする部分と視認不可とする部分とが形成される板部、を有する遮蔽ユニット。
【請求項２】
前記板部に、所定角度の範囲で進入する光を拡散又は遮光することで前記視認不可部分が形成される請求項１に記載の遮蔽ユニット。
【請求項３】
前記板部は、光透過性を有して略透明とされた透明基板と、
所定角度の範囲で進入する光を拡散又は遮光する光制御シートと、を有して構成される請求項１又は請求項２に記載の遮蔽ユニット。
【請求項４】
前記板部を、前記遊技機に対して前後方向又は上下方向の少なくともいずれか一方向に移動可能とする駆動部をさらに有する請求項１から請求項３のうちいずれか１項に記載の遮蔽ユニット。
【請求項５】
前記一方の遊技機で遊技を行う遊技者の視点位置を推測するための推測手段と、
該推測手段により推測される推測視点位置に基づいて前記駆動部を駆動させる制御手段と、をさらに有して構成される請求項４に記載の遮蔽ユニット。
【請求項６】
前記推測手段は、前記遊技者を撮影するカメラ部と、
該カメラ部に撮影された遊技者の画像に基づいて前記推測視点位置を算出する演算部と、を有して構成される請求項５に記載の遮蔽ユニット。
【請求項７】
遊技機の周囲を囲む筐体枠と、
遊技媒体による遊技を実現する遊技装置体と、
請求項１から請求項４のうちいずれか１項に記載の遮蔽ユニットと、を有する遊技機。
【請求項８】
前記前面枠を揺動支持するための揺動軸が遊技機の左右側方いずれか一方側に位置し、
前記板部は、前記揺動軸が位置する側の他方側に配置されている請求項７に記載の遊技機。
【発明の詳細な説明】
【技術分野】
【０００１】
本発明は、複数台の遊技機が列設される遊技場の遊技設備（遮蔽ユニット、遊技機）に関し、より詳しくは隣接する遊技機で遊技を行う遊技者間に、遊技者の視線を遮る板部を設けることによって、一方の遊技者が他方の遊技者の視線等を気にすることなく集中して遊技することを可能とする遮蔽ユニット等に関する。
【背景技術】
【０００２】
遊技機として代表的なパチンコ機等の弾球遊技機では、弾球された球が遊技盤面上を流下して、その流下の過程で球が遊技盤面上のゲージ（釘ともいう。）や羽根車に衝突しつつ転回して流下方向が変化する。その結果、遊技盤面上に配置された各種入賞口に球が入賞すれば所定の景品球払出しがされ、一方いずれの入賞口にも入賞せずアウト口に球が流入すれば景品球払出しはされない。遊技者は、弾球における自らの技量を発揮して、又は球の流下における偶然性を利用しつつ球の入賞及び景品球払出しを期待し、遊技を楽しむのである。
【０００３】
遊技機ホールでは、多数の遊技者が遊技機で遊技を楽しめるように、ホール内にこのような遊技機を多数設置している。そして、遊技機ホールでは、より多くの遊技機を設置するために、遊技機同士を隣接させて配置する場合が多い。遊技者は、隣の遊技機で遊技する遊技者と近距離で遊技を行うこととなる。
【０００４】
したがって、近距離で遊技が行われることで隣の遊技機が発する音に邪魔されて遊技に集中することができなかったり、隣の遊技者の喫煙によって発生した煙に対して不快な思いを感じたりする遊技者も少なくない。
【０００５】
そこで、隣接する遊技機の間に壁を設けて、喫煙による煙が隣の遊技者にまで流れるのを防いだり（特許文献１）、煙の遮断と併せて隣の遊技機が発する音を遮ったりするもの（特許文献２）が知られている。
【０００６】
【特許文献１】特開２００７−２９４９６号公報
【特許文献２】特開２００６−６１３１８号公報
【発明の開示】
【発明が解決しようとする課題】
【０００７】
近年の遊技機は、遊技における一層の興趣向上を図るべく、遊技盤面上で様々な遊技演出を行うようになってきている。例えば、遊技盤面上に遊技演出を行うための図柄表示装置を設けたものもある。図柄表示装置には数字やキャラクター等の図柄が表示され、その表示された図柄が変動し、所定時間経過後に停止表示される（以下、図柄変動演出という。）。停止表示が特定の表示態様となったときに、遊技者に多量の景品球を獲得させるいわゆる「当り」が構成されるようになっている。
【０００８】
したがって、遊技者は図柄表示装置で行われる図柄変動演出を注視しながら遊技を行うのである。図柄変動演出の中には、「当り」に対する遊技者の期待感を高めるために、派手で目立つ図柄変動演出が行われる場合がある。隣の遊技機の図柄表示装置を視認することができるように遊技機が隣接されている場合に、このような遊技演出が行われると、隣の遊技者もついついその図柄変動演出を見てしまう場合がある。遊技者は、自身が遊技する遊技機で行われる図柄変動演出が隣の遊技者から見られることで、不快感を覚えたり、遊技に集中することができず、せっかくの期待感を高めるための図柄変動演出を十分に楽しむことができなくなったりしてしまう。
【０００９】
特許文献１、特許文献２に記載のものは、隣の遊技機が発する音を遮ったり、隣の遊技者の喫煙による煙を防ぐことはできるが、遊技者の視線を効果的に遮ることはできない。壁を不透明にして、遊技者の視線を遮ることも考えられるが、この場合には、遊技機ホールに設置された監視カメラや店員から遊技者や遊技機が視認できなくなり（つまり、死角が増える。）、遊技機に対する不正が行われやすくなってしまう。監視カメラを増やして（例えば、遊技機ごとに監視カメラを設置。）不正を防止すれば、監視カメラの設置コスト、管理コストがかかり不経済である。
【００１０】
本発明は上記の事情に鑑みて為されたもので、隣接する遊技機で遊技を行う遊技者間に、遊技者の視線を遮る板部を設けることによって、一方の遊技者が他方の遊技者の視線によって感じる不快感等を軽減し、集中して遊技を行うことを可能とする遮蔽ユニット、遊技機を提供することを例示的課題とする。
【課題を解決するための手段】
【００１１】
上記の課題を解決するために、本発明の例示的側面としての遮蔽ユニットは、隣接して設置された遊技機で遊技を行う遊技者間に配置されて、少なくともいずれか一方の遊技機で遊技を行う遊技者から他方の遊技機を視認可能とする部分と視認不可とする部分とが形成される板部、を有する。
【００１２】
隣接する遊技機を視認することができない部分が板部に形成されるので、隣の遊技機で遊技を行う遊技者からその部分を通して自身の遊技機が不可視となる。したがって、遊技者は隣の遊技機で遊技する遊技者の視線を気にすることなく遊技に集中することができる。特に図柄変動演出が行われる図柄表示装置を視認不可とすれば、遊技者は隣の遊技者の視線を気にせずに集中して図柄変動演出を楽しむことができる。また遊技者間に配置された板部によって、隣の遊技機から発せられた音や遊技者の喫煙による煙を効果的に遮ることもできる。
【００１３】
遊技機及びその前方を監視するための監視カメラを、板部のうち視認可能とされた部分を通して遊技機及びその前方を監視できる場所に設置すれば、板部に遮られずに不正監視等をすることができる。したがって、遮蔽ユニットの設置によって監視カメラの死角が生じることを防止でき、遊技機ホールのセキュリティ低下を防ぐことができる。
【００１４】
板部を有する遮蔽ユニットは、隣接する遊技機の間に独立して設けてもよいし、後述するように遊技機と一体的に設けられるものであってもよい。
【００１５】
板部は、所定角度の範囲で進入する光を拡散又は遮光することで前記視認不可部分が形成されるものであってもよい。所定角度の範囲で進入する光を遮蔽又は拡散することで視認不可部分が形成されるので、その所定角度の範囲外からであれば、板部の向こう側を視認することができる。
【００１６】
遊技機及びその前方を監視するための監視カメラを、その所定角度の範囲外から遊技機及びその前方を監視できる場所に設置すれば、板部に遮られずに不正監視等をすることができる。したがって、遮蔽ユニットの設置によって監視カメラの死角が生じることを防止でき、遊技機ホールのセキュリティ低下を防ぐことができる。
【００１７】
また、監視カメラに限らず遊技機ホールの従業員も所定角度の範囲外からであれば、遮蔽ユニットの向こう側を視認することができる。したがって、遮蔽ユニットの設置による従業員の死角を減らすことができ、不正を抑制することができる。
【００１８】
板部は、光透過性を有して略透明とされた透明基板と、所定角度の範囲で進入する光を拡散又は遮光する光制御シートとを有して構成されるものであってもよい。透明基板と光制御シートとによる簡単な構造で視認不可部分の形成が可能となる。例えば、透明基板に光制御シートを貼付すれば、簡単な構造で視認不可部分を有する板部を構成することができる。したがって、遮蔽ユニットの製造コストを抑制することができる。透明基盤としては、透明樹脂を用いたものやガラスを用いたものが挙げられる。
【００１９】
板部を、遊技機に対して前後方向又は上下方向の少なくともいずれか一方向に移動可能とする駆動部をさらに有してもよい。板部が移動可能であるので、遊技者の都合に合わせて板部を使用することもでき、大変便利である。例えば、隣接する遊技機で遊技を行う遊技者同士が友人である場合に、会話をする際や相手の遊技状況を確認する際に板部が邪魔になることもある。このような場合に、遊技機者間に配置された板部を移動させることができれば非常に便利である。
【００２０】
一方の遊技機で遊技を行う遊技者の視点位置を推測するための推測手段と、推測手段により推測される推測視点位置に基づいて駆動部を駆動させる制御手段と、をさらに有して構成されていてもよい。
【００２１】
推測手段によって推測された推測視点位置に基づいて駆動部が駆動されるので、遊技者の体型等に合わせて板部を移動させることができる。例えば、遊技者が非常に背が高く板部越しに隣の遊技機を視認することができる場合には、推測視点位置に基づいて板部を上方向に移動させて視界を遮ることができる。また、遊技者の視点位置に合わせて板部を移動できるので、板部自体をあまり大きく形成しなくても、板部を移動させることで効果的に不可視化を実現できる。したがって、板部の製造に必要な材料の削減ができ、製造コストの抑制に寄与することができる。
【００２２】
推測手段は、遊技者を撮影するカメラ部と、カメラ部に撮影された遊技者の画像に基づいて推測視点位置を算出する演算部とを有して構成されるものであってもよい。
【００２３】
遊技機ホールでは、遊技機に対する不正行為を防ぐために、通常監視カメラを設置している。また、近年では、遊技機ホールに設置された遊技機の遊技状況を一括して管理するためにホールコンピュータが設置されている場合が多い。したがって、監視カメラをカメラ部、ホールコンピュータを演算部として用いれば、この構成を遊技機ホールに適用する場合でも、設備投資を抑制することができる。
【００２４】
本発明の他の例示的側面としての遊技機は、遊技機の周囲を囲む筐体枠と、遊技媒体による遊技を実現する遊技装置体と、上記遮蔽ユニットと、を有する。
【００２５】
遊技機が遮蔽ユニットを有しているので、遊技機を設置するだけで隣の遊技機の全部又は一部を不可視とすることができ、遊技者が遊技に集中できる環境を提供することができる。
【００２６】
前面枠を揺動支持するための揺動軸が遊技機の左右側方いずれか一方側に位置し、板部は、揺動軸が位置する側の他方側に配置されていることが好ましい。
【００２７】
前面枠が、板部と反対側を軸に揺動するので、前面枠を開閉させる際に板部と前面枠が干渉せずに済み、板部又は前面枠の破損を防止することができる。さらに、前面枠のスムーズな開閉を実現することもできる。
【００２８】
本発明の更なる目的又はその他の特徴は、以下添付図面を参照して説明される好ましい実施の形態によって明らかにされるであろう。
【発明の効果】
【００２９】
本発明によれば、隣接する遊技機で遊技を行う遊技者間に、遊技者の視線を一部遮る板部を設けることによって、一方の遊技者が他方の遊技者の視線によって感じる不快感等を軽減し、集中して遊技を行える環境を提供することができる。また、隣の遊技機から発せられる音や、隣の遊技者の喫煙による煙も遮断されるため、より一層遊技に集中できる環境となる。さらに、板部の視認可能部分を通せば、監視カメラからは遊技機及びその前方を視認可能とできるので、遊技機ホールのセキュリティを低下させることがない。
【００３０】
また、既存の監視カメラやホールコンピュータを用いて、遮蔽ユニットを構成すれば、設備投資を抑制することもできる。
【発明を実施するための最良の形態】
【００３１】
［実施の形態１］
以下、本発明の実施の形態１について図面を用いて説明する。図１は、本発明の実施の形態１に係る遊技機としてのパチンコ機２の正面図である。このパチンコ機２は、筐体枠４、遊技盤（遊技装置体）６、機枠（前面枠）８、前面ガラス（前面透明板）１０、装飾枠（前面枠）１２、貯留皿１４、球発射ユニット（図示せず。）、遮蔽板装置（遮蔽ユニット）１６を有している（図２も参照。）。
【００３２】
本実施の形態１では、遊技機として代表的なパチンコ機を例示して説明するが、遊技機としては、雀球遊技機やアレンジボール機等の弾球遊技機や、スロットマシン、アーケードマシン等の遊技者が対向して遊技を行う遊技機に適用可能である。
【００３３】
筐体枠４は、このパチンコ機２を囲むための枠体であり、平面視略長方形に構成されている。材料としては、木材が用いられることが多いが、他に樹脂やアルミ等の金属が用いられることもある。筐体枠４は、パチンコ機２の上下面及び左右側面を囲い、前面（すなわち、遊技者側。）から見て左側面側には機枠８及び装飾枠１２を揺動支持するためのヒンジ部（揺動軸）２２が設けられている。筐体枠４の前面から見て右側内部には施錠金具（図示せず。）が設けられている。施錠金具は後述する機枠８に設けられた係合金具（図示せず。）に係合して、機枠８を閉鎖保持する機能を有している。
【００３４】
遊技盤６は、このパチンコ機２において、遊技媒体としての球２０の流下による遊技を実現するための遊技装置体であり、パチンコ機２に内包されている。遊技盤６の遊技盤面６ａには、略円形状に周囲を囲むようにレール飾り２６が取り付けられ、このレール飾り２６の内側面２６ａが遊技盤面６ａに対して立設して遊技領域６ｂを画定している。その遊技領域６ｂ内の略中央部には、図柄表示装置７が設けられている。そしてその図柄表示装置７の周囲に多数のゲージ（図示せず。）、普通入賞口２８、始動入賞口２９、大入賞口３０、アウト口３２、その他の各種役物（例えば、羽根車等。）が配置されている。
【００３５】
図示しない球発射装置により球２０が遊技領域６ｂ内の上部に向けて発射されると、球２０がゲージに衝突してその流下方向を変えつつ遊技領域６ｂ内を流下するようになっている。その流下の途中で、あるものは普通入賞口２８に入賞して一定数の景品球払出しの契機となり、あるものはいずれの入賞口にも入賞せずにアウト口３２からパチンコ機２の外部へと排出される。
【００３６】
なお、本実施の形態１において、遊技機としてパチンコ機２を例示し、遊技装置体として遊技盤６を例示して説明している。しかしながら、遊技機がパチスロ機である場合は、回胴体が遊技媒体としてのコインを用いた遊技を実現する遊技装置体に相当する。
【００３７】
図柄表示装置７は、例えば液晶表示装置・有機ＥＬディスプレイ・ＬＥＤ等により構成されて遊技盤６の略中央に遊技者側から視認可能に設けられ、その表示画面（映像表示面）７ａ上に映像表示を行うものである。遊技中においては、この表示画面７ａ上に例えば、３桁の数字又は文字等より構成される表示図柄が、遊技演出として変動表示（図柄変動演出）されるようになっている。
【００３８】
この図柄表示装置７を利用して、パチンコ機２内部で行われる抽選によって図柄変動演出が行われ、その結果としての停止態様が所定態様（例えば、「７・７・７」。）となった場合に遊技者に利益を付与する「当り」遊技が構成される。この図柄変動演出には複数のパターンが用意されており、抽選結果に応じて様々な図柄変動演出が行われるようになっている。
【００３９】
複数パターン用意された図柄変動演出の中には、非常に派手で目立つ図柄変動演出もあり、このような派手な図柄変動演出は、そのパチンコ機で遊技する遊技者だけでなく、隣のパチンコ機で遊技する遊技者の注目も集めることとなる。
【００４０】
機枠８は、パチンコ機２を囲むとともに、遊技盤６を保持するための枠体であり、その中央近傍に遊技盤６を取り付けるための取付け開口が形成されている。取付け開口の周囲に遊技盤６を着脱可能に取り付けるための取付け部を有し、機枠８は遊技盤６の周囲を囲むように構成されている。その機枠８は、筐体枠４の前面側に配置されてヒンジ部２２において筐体枠４に揺動支持され、筐体枠４に対して前面開閉可能とされている。
【００４１】
そして、機枠８の前面から見て右側内部には、筐体枠４に設けられた施錠金具に係合するための係合金具（図示せず。）が設けられている。係合金具は、筐体枠４に設けられた施錠金具に係合して、機枠８を筐体枠４に対して閉鎖保持する機能を有する。機枠８には、後述する装飾枠１２に設けられた施錠金具（図示せず。）に係合するための係合金具（図示せず。）も設けられている。この係合金具は、装飾枠１２に設けられた施錠金具に係合して、装飾枠１２を機枠８に対して閉鎖保持する機能を有している。
【００４２】
機枠８の右側には、鍵穴８ｂが形成されている。この鍵穴８ｂに鍵（図示せず。）を挿入し、その鍵を回転操作することで、閉鎖保持された機枠８、装飾枠１２の係合解除、つまり解錠ができるようになっている。なお、鍵の回転方向によって機枠８と装飾枠１２のいずれを開錠するかを選択することができるようになっている。
【００４３】
前面ガラス１０は、遊技盤６に対して一定距離以上離間して配置された透明板である。前面ガラス１０は透明平板ガラスで形成されて装飾枠１２に保持され、遊技盤６との間に球２０が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４４】
前面透明板としてはガラス素材の前面ガラス１０の他に、もちろん透明アクリル等の樹脂材料が使用されてもよい。また、本実施の形態１においては、前面ガラス１０が装飾枠１２に保持されるが、前面ガラス１０が遊技盤６の前面に取り付けられて、遊技盤６とともに機枠８に保持されるように構成されていてもよい。
【００４５】
装飾枠１２は、パチンコ機２を囲む枠体であり、機枠８のさらに前方にヒンジ部２２によって前方開閉可能に揺動支持されて前面ガラス１０を保持する機能を有する。装飾枠１２の前面から見て右側内部には施錠金具（図示せず。）が設けられている。施錠金具は機枠８に設けられた係合金具に係合することで、装飾枠１２を機枠８に対して閉鎖保持する機能を有している。装飾枠１２は、筐体枠４に設けられた施錠金具に係合され、機枠８に対して閉鎖保持されるようになっている。装飾枠１２は、保持された前面ガラス１０を通して、その後方に配置される遊技盤６が視認可能となるように窓部１２ａが形成されている。窓部１２ａの上方には、パチンコ機２を装飾し、遊技を演出するための装飾部材１２ｂが配置されている。
【００４６】
貯留皿１４は、パチンコ機２の前面側であって前面ガラス１０の下方に配置されて球２０を貯留する。貯留皿１４は、発射ユニットに導くための球２０を貯留する上皿１４ａとさらにその下方に配置されて上皿１４ａから排出された球２０を受け取る下皿１４ｂとが別体に構成されていてもよいし、下皿１４ｂがなく上皿１４ａのみで貯留皿１４が構成されていてもよい。
【００４７】
上皿１４ａは、景品球としてパチンコ機２から払い出された球２０を受け取る機能や、その球２０を球供給装置（図示せず。）を介して発射ユニットに導くべく貯留する機能を有している。遊技終了時には、遊技者が球排出ボタン１４ｃを操作することにより、球２０を上皿１４ａから下皿１４ｂへと排出することができるようになっている。
【００４８】
発射ユニットは、球供給装置によって上皿１４ａから発射位置に送り出された球２０を遊技領域６ｂの上部に向けて発射（弾球）するためのものである。球発射装置は、例えば発射位置の球２０を弾球する発射杆、その発射杆を駆動する発射モータ、発射杆を付勢して弾球のための力を発生させる発射バネ等を有してユニット構成され、機枠８に取り付けられている。
【００４９】
その発射ユニットによる球発射のため、遊技者の操作に基づいて球発射のオンオフ及びその発射強度調整を実現する発射ハンドル１５がパチンコ機２の前面下方に設けられている。
【００５０】
遮蔽板装置１６は、パチンコ機２に向かって右側、つまりパチンコ機２の筐体４の左右方向におけるヒンジ部２２の反対側（施錠金具側）にビス固定されて取り付けられている。したがって、機枠８や装飾枠１２を開閉させても後述する遮蔽板１７に機枠８や装飾枠１２が干渉することなく、スムーズに開閉させることができるようになっている。
【００５１】
図２に示すように、遮蔽板装置１６は、遮蔽板（板部）１７、外郭１８を有して構成されている。遮蔽板１７は、外郭１８から突出した位置と外郭１８に収容された位置とに（つまり、前後方向。）移動可能とされている。外郭１８から突出した位置において、遮蔽板１７はパチンコ機２の前方に突出した状態であり、パチンコ機２で遊技する遊技者の右側に位置するようになっている。
【００５２】
遮蔽板１７は、透明樹脂板（透明基板）１７ａと遮光シート１７ｂとを有して構成されている。透明樹脂板１７ａは、略方形の板状部材であり、その上下後方部分に凸部（ストッパ部）１７ｃが形成されている。凸部１７ｃは、遮蔽板１７を突出させた際に抜け落ちてしまうことを防止するためのものであるが、その詳細は後に詳説する。透明樹脂板１７ａは光透過性を有して略透明とされており、透明樹脂板１７ａを通してその向こう側を視認することができる。透明樹脂板の代わりにガラス板等を用いることもできる。
【００５３】
遮光シート１７ｂは、透明樹脂板１７ａの表面に貼付されている。遮光シート１７ｂは、遮光シート１７ｂに対し所定方向において所定角度（本実施の形態１では遮光シート１７ｂのシート平面１７ｆに対する垂直線に対して３０度より小さい角度。）の範囲で進入する光を遮光する機能を有している。したがって、遊技者が遮光シート１７ｂを通してその向こう側を見ようとしても、遮蔽板１７のうち、遊技者の視点に対して所定角度以内となる範囲を通しては、その向こう側を視認することができない。
【００５４】
本実施の形態１では所定方向が上下方向となるように透明樹脂板１７ａに対して遮光シート１７ｂが貼付されている。つまり、図３に示すように、遮蔽板１７には遊技者がその向こう側を視認できない視認不可部分１７ｅが形成され、その上下に遊技者がその向こう側を視認できる視認可能部分１７ｄが形成されることとなる。したがって、遊技者が遮蔽板１７の向こう側を見ようとした場合に、視認不可部分１７ｅを通して見る範囲（領域Ａ）は遊技者にとって不可視な領域となる。なお、視認可能部分を透明ガラス、視認不可部分をすりガラスで構成してもよい。
【００５５】
本実施の形態１では、この領域Ａが遊技領域６ｂに設けられた図柄表示装置７と重なるようになっている。そのため、遊技者は隣のパチンコ機２の表示画面７ａ上で行われる図柄変動演出を見ることができない。したがって、隣接するパチンコ機２のうち一方のパチンコ機の表示画面７ａ上で、派手で目立つ図柄変動演出が行われても、他方のパチンコ機で遊技を行っている遊技者からその図柄変動演出を見られることがなく、一方のパチンコ機２で遊技を行っている遊技者は、集中して図柄変動演出を楽しむことができる。
【００５６】
監視カメラ４４は、遮蔽板１７を通して、その向こう側のパチンコ機２及びその前方を監視する場合には、遮蔽板１７に対する監視角度（視認角度）ｋ１が所定角度の範囲外となる位置に取り付けられている。遮蔽板１７は、所定角度の範囲外から進入する光は遮光することなく通過させるので、監視カメラ４４からは、遮蔽板１７に遮られることなくパチンコ機２及びその前方を確認することができる。
【００５７】
なお、遮光シート１７ｂは、所定角度の範囲で進入する光を完全に遮断する必要はなく、遮光シート１７ｂの向こう側の領域Ａで行われる図柄変動演出がどのようなものかはっきり認識することができない程度に光を遮断すればよい。また、所定角度の範囲で進入する光を拡散させることでも同様の効果を得ることができる。
【００５８】
外郭１８は、パチンコ機２の右側方に配置されて、遮蔽板１７を内部に収容可能とされた箱状の部材である。外郭１８には、開口１８ａが形成されており、この開口１８ａを通じて遮蔽板１７を突出させたり、収容させたりすることができるようになっている。開口１８ａの内部には、遮蔽板１７を前後にスライド移動させるための段差部１８ｂが形成されている。そして、遮蔽板１７を前方に引き出した場合には、透明樹脂板１７ａに形成された凸部１７ｃが段差部１８ｂに当接するので、遮蔽板１７が開口１８ａから抜け落ちてしまうことがない。
【００５９】
遊技者は、隣の遊技者が知り合いであったり友人であったりした場合には、お互いに会話をするのに遮蔽板１７の存在が邪魔になるので、遮蔽板１７を外郭１８内に押し込んで、収容させることができる。つまり、遊技者は自身の都合に合わせて、遮蔽板１７を突出させたり収容させたりすることができるのである。本実施の形態１では遮蔽板１７を手動で移動させるようにしているが、外郭１８内にモータ等の駆動部を備えて、電気的に遮蔽板１７を前後移動させるように構成してももちろん構わない。
【００６０】
本実施の形態１では、透明樹脂板１７ａに対して遮光シート１７ｂを貼付することで遮蔽板１７を構成しているが、板部材そのものに、所定角度から進入する光を遮断する機能を持たせて遮蔽板としてももちろん構わない。また、本実施の形態１では、遮蔽板１７に対して一方側（左側）から他方（右側）のパチンコ機２を視認する場合についてのみ説明したが、これは、反対側（右側）から他方（左側）の遊技機を視認する場合にも、遮蔽板１７に視認可能部分と視認不可部分が形成される構成を排除するものではない。
【００６１】
また、本実施の形態１では、遮蔽板装置１６はパチンコ機２に対してビス固定され、該ビスの固定を解除することにより適宜取り外しできるように構成されているが、遮蔽板装置１６とパチンコ機を着脱自在に構成せず、遮蔽板装置１６を、パチンコ機２と一体となるように構成（例えば、筐体枠４とユニット構成。）してもよい。
【００６２】
さらに、本実施の形態１では、遮蔽板１７がパチンコ機２の右側に配置された外郭１８に前後移動可能に収容されているが、これに限られず、パチンコ機２の前面右側に着脱可能に遮蔽板１７が取り付けられるものであってもよいし、パチンコ機２の側方に配置される球貸機等の前面に遮蔽板１７が着脱可能に取り付けられるものであってもよい。
【００６３】
［実施の形態２］
以下、本発明の実施の形態２について図面を用いて説明する。図４は、本発明の実施の形態２に係る遊技機としてのパチンコ機５２の外観斜視図である。
【００６４】
このパチンコ機５２は、筐体枠５４、遊技盤（遊技装置体）（図示せず。）、機枠（前面枠）５８、前面ガラス（前面透明板）（図示せず。）、装飾枠（前面枠）６２、貯留皿（図示せず。）、球発射ユニット（図示せず。）、遮蔽板装置（遮蔽ユニット）６４を有して構成されている。
【００６５】
このうち、筐体枠５４、遊技盤、機枠５８、前面ガラス、装飾枠６２、貯留皿、球発射ユニットの機能・構成は実施の形態１のものと略同様であるので、詳細な説明は省略する。
【００６６】
遮蔽板装置６４は、パチンコ機５２に向かって右側に取り付けられている。遮蔽板装置６４は、外郭６５、遮蔽板（板部）６６、を有して構成されている。
【００６７】
外郭６５は、パチンコ機５２の右側方に配置された箱状の部材である。外郭６５は、後に詳説する遮蔽板６６の一部をその内部に収容するとともに、遮蔽板６６を前後移動させるための駆動部を内部に収容する。駆動部はモータ６８と内部ギア７０とを有して構成されている。内部ギア７０は遮蔽板６６を構成する第１透明板６７ａの後方に延びた後方ラック部６６ａと噛合しており、内部ギア７０の回転に伴って遮蔽板６６が前後方向に移動するようになっている。モータ６８は、後述する移動スイッチの操作に基づいて内部ギア７０を回転させるようになっている。
【００６８】
外郭６５の前面下方には遮蔽板６６を前後移動させるための、前移動スイッチ６５ａ、後移動スイッチ６５ｂが配置されている。前移動スイッチ６５ａ、後移動スイッチ６５ｂが操作されると、モータ６８は内部ギア７０を回転させる。操作されたスイッチによって内部ギア７０の回転方向が異なるようになっており、前移動スイッチ６５ａが操作された場合には遮蔽板６６が前方に移動し、後移動スイッチ６５ｂが操作された場合には遮蔽板６６が後方に移動するようになっている。
【００６９】
遮蔽板６６は、パチンコ機５２より前方に突出するように設けられた板状部材であり、第１透明板６７ａ、第２透明板６７ｂ、遮光板６７ｃを有して構成されている。第１透明板６７ａ、第２透明板６７ｂは光透過性を有する略透明の樹脂板で形成されており、第１透明板６７ａ、第２透明板６７ｂに遮られることなく、その向こう側を視認することができる。樹脂板の代わりにガラス板等を用いることもできる。第１透明板６７ａの後方下部には、後方に延びるように後方ラック部６６ａが形成されており、内部ギア７０と噛合している。第２透明板６７ｂには、後述するレバー軸７４ａを貫通させるための貫通孔６７ｅが形成されている。
【００７０】
また、第１透明板６７ａ、第２透明板６７ｂは、パチンコ機５２の高さと略同じ高さを有して構成されているので、遊技機から発せられる音や、遊技者の喫煙による煙等が隣の遊技機に流れたりするのを遮ることができる。したがって、遊技者に対して、より快適な遊技環境を提供することができる。
【００７１】
第１透明板６７ａと第２透明板６７ｂとの間には、遮光板６７ｃ、第１外部ギア７２、第２外部ギア７４が挟持されている。
【００７２】
遮光板６７ｃは、第１透明板６７ａ、第２透明板６７ｂよりも小さく形成された板状の部材であり、第１透明板６７ａと第２透明板６７ｂとの間に上下スライド移動可能に挟持されている。遮光板６７ｃには下方に延びる下方ラック部６７ｄが形成されている。下方ラック部６７ｄは第１外部ギア７２と噛合し、第１外部ギア７２の回転に伴って上下動し、遮光板６７ｃを上下動させるようになっている。
【００７３】
遮光板６７ｃは、所定方向から所定角度（本実施の形態２では遮光板６７ｃの板面６７ｆに対する垂直線に対して３０度より小さい角度。）の範囲で進入する光を遮光する機能を有している。したがって、遮光板６７ｃを通したその向こう側は所定角度の範囲に対応する領域に限って視認不可となる。なお、光を遮光する機能は、実施の形態１で説明したものと同様に、遮光シートによって実現されてもよいし、遮光板自体に遮光機能を持たせて実現されるものであってもよい。
【００７４】
第１外部ギア７２は、第１透明板６７ａと第２透明板６７ｂとの間に回転可能に挟持されたギア部材であり、下方ラック部６７ｄと、後述する第２外部ギア７４との間に位置し、これらと噛合するように配置されている。
【００７５】
第２外部ギア７４は、第１透明板６７ａと第２透明板６７ｂとの間に回転可能に挟持されたギア部材であり、第１外部ギア７２と噛合し、自身の回転を第１外部ギア７２に伝えることができる。第２外部ギア７４にはレバー軸７４ａが形成され、そのレバー軸７４ａは第２透明板６７ｂに形成された貫通孔６７ｅを貫通している。貫通孔６７ｅを貫通したレバー軸７４ａにはレバー７６が取り付けられており、遊技者はそのレバー７４ａを操作することができるようになっている。遊技者はレバー７６を操作することで、第２外部ギア７４を回転させることができる。例えば、レバー７６を矢印Ｘに示す方向に回転させると、第２外部ギア７４の回転に連動して第１外部ギア７２が回転し、それに連動して遮光板６７ｃが矢印Ｙに示す方向（下方向）に移動するようになっている。
【００７６】
したがって本実施の形態２では、レバー７６を操作することで、遊技者は遮光板６７ｃを上下動させて、隣で遊技する遊技者の視点高さに合わせて遮光板６７ｃの高さを調節することができる。
【００７７】
また、第１透明板６７ａと第２透明板６７ｂとの間に挟持された遮光板６７ｃは、第１透明板６７ａ及び第２透明板６７ｂの前後移動に伴って前後移動するので、移動スイッチ６５ａ，６５ｂを操作することで、遊技者の都合に合わせて遮光板６７ｃの前後位置を変更することもできる。
【００７８】
さらに、本実施の形態３に係る遮蔽板装置６４によれば、遮光板６７ｃを必要以上に大きく形成しなくとも、第１透明板６７ａ及び第２透明板６７ｂで音や煙を好適に遮ることができ、隣で遊技する遊技者の視点位置に合わせて遮光板６７ｃの位置を変化させることもできる。
【００７９】
［実施の形態３］
図５は、本発明の実施の形態３に係る遮蔽ユニットＳ１を有して構成される遊技機島Ｓ２の全体構成を示す概略ブロック図である。遊技機島Ｓ２は複数のパチンコ機１０２を隣接配置して遊技可能に提供するためのもので、この遊技機島Ｓ２には、複数の遊技機設置部Ｐが一列に配置され、各遊技機設置部Ｐにパチンコ機１０２が各々設置されている。図５では、２台のパチンコ機１０２のみが記載されているが、より多数のパチンコ機を配置することを制限するものではない。パチンコ機１０２は、遮蔽板装置を別体として有している点を除いて、基本的に実施の形態１に記載されたものと機能・構成を同様にしており、図柄変動演出を行うための図柄表示装置１０７も有している。
【００８０】
図５に示すように、パチンコ機１０２それぞれの前方には椅子１０３が配置され、遊技者が腰掛けて遊技を行うことができるようになっている。さらに、隣接するパチンコ機１０２の間には、遮蔽板装置１１６が配置され、遊技機島Ｓ２の斜め上方（例えば、遊技機島Ｓ２を有する遊技機ホールの天井。）には遊技者の遊技状況や、不正行為を監視するための監視カメラ（カメラ部）１１９が設置されている。そして、遮蔽板装置１１６と監視カメラ１１９は、ホールコンピュータ１２１を介して接続されており、遮蔽板装置１１６、監視カメラ１１９及びホールコンピュータ１２１を有して遮蔽ユニットＳ１が構成されている。
【００８１】
遮蔽板装置１１６は、パチンコ機１０２に向かって右側に配置されている。遮蔽板装置１１６は、実施の形態１と異なり、パチンコ機に一体的に取り付けられておらず、単独のユニットとしてパチンコ機１０２の右側方に配置されている。遮蔽板装置１１６は、遮蔽板（板部）１１７、外郭１１８を有して構成されている。
【００８２】
遮蔽板１１７は、常態においてパチンコ機１０２の前方に突出しており、後述する駆動部によって上下方向に移動可能とされている。図６に示すように、遮蔽板１１７は実施の形態１で説明したものと同様に透明樹脂板（透明基板）１１７ａ、遮光シート（光制御シート）１１７ｂを有して構成されている。透明樹脂板１１７ａは、略方形の板状部材であり、その後方にラック部１１７ｃが形成されている。ラック部１１７ｃは、後述するギア部と噛合し遮蔽板１１７の上下移動を実現するためのものであるが、その詳細は後述する。透明樹脂板１１７ａは光透過性を有して略透明とされており、透明樹脂板１１７ａを通してその向こう側を視認することができる。
【００８３】
遮光シート１１７ｂは、透明樹脂板１１７ａの表面に貼付されている。遮光シート１１７ｂは、所定方向から所定角度（本実施の形態３では遮光シート１１７のシート面１１７ｆに対する垂直線に対して１５度より大きい角度。）の範囲で進入する光を遮光する機能を有している。したがって、遮光シート１１７ｂを通したその向こう側は所定角度の範囲外に対応する領域に限って視認可能となる。
【００８４】
本実施の形態３では所定方向が前後方向となるように透明樹脂板１１７ａに対して遮光シート１１７ｂが貼付されている。つまり、図７に示すように、遮蔽板１１７には遊技者がその向こう側を視認できる視認可能部分１１７ｄが形成され、その前後に視認不可部分１１７ｅが形成されることとなる。したがって、遊技者が遮蔽板１１７の向こう側を見ようとした場合に、視認不可部分１１７ｅを通して見る範囲（領域Ｂ）は遊技者にとって不可視な領域となる。そして、パチンコ機１０２の遊技領域に設けられた図柄表示装置１０７は、領域Ｂの範囲外となるため、遊技者は隣のパチンコ機１０２の表示画面７ａ上で行われる図柄変動演出を見ることができない。したがって、隣接するパチンコ機１０２の一方（左側）のパチンコ機１０２の図柄表示装置１０７上で、派手で目立つ図柄変動演出が行われても、他方（右側）のパチンコ機１０２で遊技を行っている遊技者からその図柄変動演出が見られることがなく、左側のパチンコ機１０２で遊技を行っている遊技者は、集中して図柄変動演出を楽しむことができる。
【００８５】
外郭１１８は、遮蔽板１１７を上下移動させるための駆動部を内部に有する箱状の部材である。駆動部は、モータ１２２とギア１２４とを有して構成されている。モータ１２２は、後述する制御手段から送信される制御信号に基づいてギア１２４を回転させる。ギア１２４は遮蔽板１１７のラック部１１７ｃと噛合しており、ギア１２４の回転に伴って遮蔽板１１７が上下方向に移動するようになっている。
【００８６】
外郭１１８の前面には、上移動スイッチ１１８ａ、下移動スイッチ１１８ｂ、移動拒否スイッチ１１８ｃ及び状態報知ランプ１１８ｄが設けられている。上移動スイッチ１１８ａ、下移動スイッチ１１８ｂは、遊技者が遮蔽板１１７を上下移動させるために操作するものであり、上移動スイッチ１１８ａが操作されれば遮蔽板１１７が上方向に移動し、下移動スイッチ１１８ｂが操作されれば遮蔽板１１７が下方向に移動するようになっている。遊技者は、上下移動スイッチ１１８ａ，１１８ｂを操作することで、遮蔽板１１７の位置を自身がより快適に遊技できる位置に移動させることができる。なお、赤外線センサ等を用いた上下限検出器（図示せず。）によって、遮蔽板１１７の可動範囲を定めて、遮蔽板１１７が上下に移動しすぎて破損してしまうことを防止している。
【００８７】
移動拒否スイッチ１１８ｃは、遮蔽板１１７の移動を許容する状態（許容状態）と、拒否する状態（拒否状態）とを遊技者が選択操作するためのものである。遊技者が移動拒否スイッチ１１８ｃを操作するたびに許容状態と拒否状態とが交互に切り替わるようになっている。本実施の形態３では、遊技者の視点位置（視点高さ）を推測し、その推測視点位置に基づいて自動的に遮蔽板１１７を移動するようになっているが（詳細は後述する。）、拒否状態では遮蔽板１１７の移動が行われないようになっている。状態報知ランプ１１８ｄは、拒否状態時に点灯するようになっている。
【００８８】
監視カメラ１１９は、遊技機島Ｓ２の斜め上方、例えば遊技機ホールの天井に取り付けられて、パチンコ機１０２及びその前方を撮影し、監視するためのものである。監視カメラ１１９が遮蔽板１１７を通してパチンコ機１０２及びその前方を監視・撮影するための監視角度（視認角度）ｋ２が、遮蔽板１１７に対して所定角度の範囲内となる位置に設置されているため、遮蔽板１１７に遮られることなく監視・撮影を行うことができる。
【００８９】
監視カメラ１１９は、パチンコ機１０２で遊技する遊技者の姿を撮影する。そして、その撮影された画像データをホールコンピュータ１２１に向けて送信する機能を有する。
【００９０】
ホールコンピュータ１２１は、ＣＰＵ１２６を有している。ＣＰＵ１２６は、遊技者の視点位置（視点高さ）を推測するために、監視カメラ１１９から送信された画像データに基づいて推測視点位置を算出する演算部としての機能を有する。具体的には、画像データに基づいて、遊技者が椅子１０３に座る前の画像データと、遊技者が座った後の画像データとを比較して遊技者の全体像を把握する。そして全体像の最上部から床までの全体高さＨ１を算出し、全体高さＨ１と予め記憶している椅子高さＨ２との差から遊技者の座高Ｈ３を算出する。本実施の形態３では、椅子１０３の座面から、座高Ｈ３の９０％高さの位置を推測視点位置として算出するように構成されている。
【００９１】
ＣＰＵ１２６は、遊技者が椅子１０３に着座したことを検出した際にその遊技者の視点位置を推測するようになっている。例えば、椅子１０３に圧電素子や赤外線センサを用いた着座センサを配置して着座検出したり、パチンコ機１０２の発射ハンドルに設けられたタッチセンサからタッチ信号が送信された際に遊技者が着座したと判断したりすることができる。
【００９２】
図８（ａ）に示すように、遊技者の座高が高く遮蔽板１１７越しに隣のパチンコ機１０２の図柄表示装置を視認することができるような場合には、ＣＰＵ１２６がモータ１２２に向けて制御信号を送信し、遮蔽板１１７を上方向に移動させる（図８（ｂ）も参照。）。つまり、ＣＰＵ１２６は、モータ１２２を駆動させる制御手段としての機能も発揮する。本実施の形態３では、推測視点位置が、遮蔽板１１７の最上部よりも高い位置にある場合に遊技者が遮蔽板１１７越しに隣のパチンコ機１０２を見ることができると判断している。
【００９３】
この判断基準は適宜変更可能であり、例えば推測視点位置が遮蔽板１１７の最上部よりも所定高さ以上高い場合としてもよいし、遊技機島Ｓ２に設置されるパチンコ機１０２の種類ごとにその判断基準を異ならせてもよい。
【００９４】
なお、遊技者の座高が想定を超えるような高さであり、推測視点位置が遮蔽板１１７の可動範囲の上限を超えるような場合には、上下検出手段の検出位置、すなわち可動範囲上限まで移動させるように制御することが望ましい。
【００９５】
また、遮蔽板１１７の位置を検出する手段を設ける（例えば、測距センサ（図示せず。）をラック部上方に配置。）ことで、推測視点位置に基づく遮蔽板１１７の移動制御を一層正確にすることが可能となる。
【００９６】
遮蔽板１１７が上下に移動しても、遮蔽板１１７に対する監視カメラ１１９の監視角度ｋ２は変化しない。したがって、監視カメラ１１９は、遮蔽板１１７の上下移動に影響されることなく、パチンコ機１０２及びその前方の撮影・監視をすることができる。本実施の形態３では、監視カメラ１１９は固定されており、その監視角度ｋ２も固定されているが、監視カメラ１１９をモータ等により可変とし、その監視角度ｋ２を可変とすることも可能である。この場合には、監視カメラ１１９に角度検出手段（例えば、ロータリーエンコーダ。）を設けて、その検出結果もふまえて遊技者の視点位置をＣＰＵ１２６が推測すればよい。
【００９７】
次に、遊技者が椅子１０３に座った際に、遮蔽ユニットＳ１によって遮蔽板１１７が移動制御されるまでの流れを図９のフローチャートを用いて説明する。
【００９８】
遊技者が椅子１０３に座ると（Ｓ．１）、着座センサにより遊技者の着座が検出される（Ｓ．２）。遮蔽板１１７の移動を許容する許容状態であれば（Ｓ．３）、ＣＰＵ１２６は遊技者の推測視点位置が算出される（Ｓ．４）。ここで、遮蔽板１１７の移動を拒否する拒否状態であれば（Ｓ．３）、推測視点位置の算出は行われない。
【００９９】
算出された推測視点位置よりも遮蔽板１１７の最上部が低い位置にあれば（Ｓ．５）、遮蔽板１１７を上方向に移動させる（Ｓ．６）。推測視点位置よりも遮蔽板１１７の最上部のほうが高い場合、又は同じ高さである場合には（Ｓ．５）、遮蔽板１１７は移動されない（Ｓ．７）。
【０１００】
なお、遮蔽板１１７の移動態様としては、上下方向に限られず、前後方向であってもよいし、揺動移動であってもよい。さらに、遮蔽板１１７を２枚左右に重ねて設けて、それぞれの遮蔽板１１７を別々に移動（例えば、上下移動。）可能としてもよい。体型が異なる遊技者が隣り合った場合にも、それぞれの遊技者の視点位置に合わせて、遮蔽板１１７をそれぞれ異なる位置に移動させることで、どちらの遊技者からも他方の遊技機が視認不可とすることができる。
【０１０１】
本実施の形態３では、着座センサやタッチセンサを用いて遊技者が着座したと判断（着座検出）しているが、パチンコ機１０２の遊技データを用いて着座検出を行ってもよい。例えば、パチンコ機１０２において、入賞口に入賞した入賞球数やアウト口に流入したアウト球数が加算された際に遊技者が着座したものと判断することができる。つまり、入賞球数等が加算されたときに、遊技者が着座して遊技を開始したと判断するのである。一般的な遊技機ホールでは、入賞球数やアウト球数のデータがパチンコ機から送信され、ホールコンピュータで管理されている。したがって、着座センサ等による検出に比べて精度が若干落ちるものの、着座検出のために専用のセンサを設けることなく簡単かつ安価に着座検出をすることができるようになる。また、着座検出を行わずに所定時間おきに遊技者の視点を推測するように構成してもよい。
【０１０２】
さらに、遮蔽板装置１１６は隣接する遊技機間に設置される球貸機（サンド機）や空気清浄機等と一体的にユニット構成されていても構わない。
【０１０３】
［実施の形態４］
本発明の実施の形態４に係る遮蔽ユニットとしての遮蔽板を図面を用いて説明する。図１０は、複数のパチンコ機２０２が列設された遊技機島Ｓ３を上方から見た平面図である。
【０１０４】
遊技機島Ｓ３の遊技者と対向する面であって、隣接するパチンコ機２０２の間には遊技者の間を遮蔽するように、遮蔽板（板部）２１７が取り付けられている。
【０１０５】
遮蔽板２１７は、遊技機島Ｓ３に取り付けられた状態で、遮蔽板２１７に対して前後方向において所定角度（本実施の形態４では遮蔽板２１７の板面２１７ａに対する垂直線に対して１５度より小さい角度。）の範囲で進入した光を遮光する機能を有している。
【０１０６】
つまり、図１０に示すように、遮蔽板２１７には遊技者ｈ１がその向こう側を視認できない視認不可部分２１７ｅが形成され、その前後にその向こう側を視認できる視認可能部分２１７ｄが形成されることとなる。したがって、遊技者が遮蔽板２１７の向こう側を見ようとした場合に、視認不可部分２１７ｅを通して見る範囲（領域Ｃ）は遊技者にとって不可視な領域となる。
【０１０７】
隣接するパチンコ機２０２のうち一方（右側）のパチンコ機で遊技する遊技者ｈ１が他方（左側）のパチンコ機の前面中央Ｄを視認しようとしても、前面中央Ｄは視認不可な領域Ｃ内にあるため、視認することができない。しかし、遊技者ｈ１の後方にいる遊技機ホールの従業員ｈ２は、同じく前面中央Ｄを視認しようとした場合、視認角度αが所定角度の範囲外（遮蔽板２１７の板面２１７ａに対する垂直線に対して１５°以上。）となるので視認することができる。したがって、遊技者ｈ１が遮蔽板２１７を通して視認できない場所でも、従業員ｈ２にとって死角とならないので、遮蔽板２１７を設置することによって遊技機ホールのセキュリティが低下してしまうことがない。
【０１０８】
以上、本発明の好ましい実施の形態を説明したが、本発明はこれらに限定されるものではなく、その要旨の範囲内で様々な変形や変更が可能である。
【０１０９】
また、それぞれの実施の形態の中で説明した構成を、種々の目的に合わせて組み合わせて実施してもよく、例えば、遊技者の前後における視点位置を推測し、その推測視点位置に合わせて遮蔽板を前後移動させるように構成することもできる。
【０１１０】
さらに、通常は、遮蔽板を外郭に収容しておき、着座センサ等によって遊技者の着座を検知した際に、遮蔽板を遊技機の前方に突出させるように構成することもできる。
【０１１１】
他にも、実施の形態の中では板部としての遮蔽板が、上下方向又は前後方向のいずれかにおいて、所定角度の範囲で進入する光を制御（遮光・通過）するように構成して説明しているが、これに限られず、上下方向から進入する光であっても前後方向から進入する光であっても制御できる遮蔽板として構成してもよい。
【図面の簡単な説明】
【０１１２】
【図１】本発明の実施の形態１に係るパチンコ機の正面図である。
【図２】図１に示すパチンコ機が有する遮蔽板装置の内部構造を説明するための斜視図である。
【図３】図１に示すパチンコ機が遊技機ホールに設置された状態を示す図である。
【図４】本発明の実施の形態２に係るパチンコ機の外観斜視図である。
【図５】本発明の実施の形態３に係る遮蔽ユニットを有して構成される遊技機島の概略ブロック図である。
【図６】図５に示す遮蔽ユニットが有する遮蔽板装置の斜視図である。
【図７】図５に示す遊技機島の平面図である。
【図８】図５に示す遊技機島の生面図であって、（ａ）遮蔽板が移動する前の状態を示す図、（ｂ）遮蔽板が移動した後の状態を示す図である。
【図９】図５に示す遮蔽ユニットによって遮蔽板が移動制御されるまでの流れを説明するフローチャートである。
【図１０】本発明の実施の形態４に係る遮蔽板が取り付けられた遊技機島を上方から見た平面図である。
【符号の説明】
【０１１３】
Ａ，Ｂ，Ｃ：領域
Ｄ：前面中央
Ｈ１：全体高さ
Ｈ２：椅子高さ
Ｈ３：座高
Ｐ：遊技機設置部
Ｓ１：遮蔽ユニット
Ｓ２，Ｓ３：遊技機島
Ｘ，Ｙ：矢印
ｈ１：遊技者
ｈ２：従業員
ｋ１，ｋ２：監視角度（視認角度）
α：視認角度
２：パチンコ機（遊技機）
４：筐体枠
６：遊技盤（遊技装置体）
６ａ：遊技盤面
６ｂ：遊技領域
７：図柄表示装置
７ａ：表示画面（映像表示面）
８：機枠（前面枠）
８ｂ：鍵穴
１０：前面ガラス（前面透明板）
１２：装飾枠（前面枠）
１２ａ：窓部
１２ｂ：装飾部材
１４：貯留皿
１４ａ：上皿
１４ｂ：下皿
１４ｃ：球排出ボタン
１５：発射ハンドル
１６：遮蔽板装置（遮蔽ユニット）
１７：遮蔽板（板部）
１７ａ：透明樹脂板（透明基板）
１７ｂ：遮光シート（光制御シート）
１７ｃ：凸部（ストッパ部）
１７ｄ：視認可能部分
１７ｅ：視認不可部分
１７ｆ：シート平面
１８：外郭
１８ａ：開口
１８ｂ：段差部
２０：球（遊技媒体）
２２：ヒンジ部（揺動軸）
２６：レール飾り
２６ａ：内側面
２８：普通入賞口
２９：始動入賞口
３０：大入賞口
３２：アウト口
４４：監視カメラ
５２：パチンコ機（遊技機）
５４：筐体枠
５８：機枠（前面枠）
６２：装飾枠
６４：遮蔽板装置（遮蔽ユニット）
６５：外郭
６５ａ：前移動スイッチ
６５ｂ：後移動スイッチ
６６：遮蔽板（板部）
６６ａ：後方ラック部
６７ａ：第１透明板
６７ｂ：第２透明板
６７ｃ：遮光板
６７ｄ：下方ラック部
６７ｅ：貫通孔
６７ｆ：板面
６８：モータ（駆動部）
７０：内部ギア（駆動部）
７２：第１外部ギア
７４：第２外部ギア
７４ａ：レバー軸
７６：レバー
１０２：パチンコ機
１０３：椅子
１０７：図柄表示装置
１１６：遮蔽板装置
１１７：遮蔽板（板部）
１１７ａ：透明樹脂板（透明基板）
１１７ｂ：遮光シート（光制御シート）
１１７ｃ：ラック部
１１７ｄ：視認可能部分
１１７ｅ：視認不可部分
１１７ｆ：シート面
１１８：外郭
１１８ａ：上移動スイッチ
１１８ｂ：下移動スイッチ
１１８ｃ：移動拒否スイッチ
１１８ｄ：状態報知ランプ
１１９：監視カメラ（カメラ部）
１２１：ホールコンピュータ
１２２：モータ（駆動部）
１２４：ギア（駆動部）
１２６：ＣＰＵ（演算部）（制御手段）
２０２：パチンコ機
２１７：遮蔽板（板部）
２１７ａ：板面
２１７ｄ：視認可能部分
２１７ｅ：視認不可部分
【図１】
2008307332.tif 000003
【図２】
2008307332.tif 000004
【図３】
2008307332.tif 000005
【図４】
2008307332.tif 000006
【図５】
2008307332.tif 000007
【図６】
2008307332.tif 000008
【図７】
2008307332.tif 000009
【図８】
2008307332.tif 000010
【図９】
2008307332.tif 000011
【図１０】
2008307332.tif 000012